(57)【特許請求の範囲】
【請求項１】
フィーダからの刈取り穀稈を、扱胴の前端側に、前記扱胴と一体回転自在に設けたスクリュー部によって扱室に掻き込むように構成した脱穀装置であって、
脱穀機体の内側における前記スクリュー部の下方に扱室側ほど配置高さが高い傾斜姿勢で設ける入口案内底壁体と、前記脱穀機体の左側の横側壁のうちの前記入口案内底壁体の横側方に位置する横側壁部と、前記脱穀機体の右側の横側壁のうちの前記入口案内底壁体の横側方に位置する横側壁部とにより、前記フィーダからの刈取り穀稈を前記扱室に流動案内する入口案内経路を構成し、
前記入口案内底壁体を脱着自在に支持されるよう構成し、
前記左側の横側壁部と前記右側の横側壁部の少なくとも一方を脱着自在に支持されるよう構成してある脱穀装置。
【請求項２】
前記左側の横側壁部と前記右側の横側壁部とのうちの前記入口案内底壁体に対して扱胴下端部の回転方向下手側に位置する方の横側壁部を脱着自在に支持されるよう構成してある請求項１記載の脱穀装置。
【請求項３】
前記左側の横側壁部及び前記右側の横側壁部を脱着自在に支持されるよう構成してある請求項１記載の脱穀装置。
【請求項４】
前記左側の横側壁部と前記右側の横側壁部とのうちの前記入口案内底壁体に対して扱胴下端部の回転方向下手側に位置する方の横側壁部の壁厚を、前記左側の横側壁部と前記右側の横側壁部とのうちの前記入口案内底壁体に対して扱胴下端部の回転方向上手側に位置する方の横側壁部の壁厚より大に設定してある請求項３記載の脱穀装置。
【請求項５】
前記入口案内底壁体を、フィーダ側に位置する分割入口案内底壁体と扱室側に位置する分割入口案内底壁体とに分割自在に構成してある請求項１〜４のいずれか一項に記載の脱穀装置。
【請求項６】
前記扱室側に位置する分割入口案内底壁体の壁厚を前記フィーダ側に位置する分割入口案内底壁体の壁厚より大に設定してある請求項５記載の脱穀装置。
【請求項７】
脱着自在に支持される前記横側壁部を、フィーダ側に位置する分割横側壁部と扱室側に位置する分割横側壁部とに分割自在に構成してある請求項１〜６のいずれか一項に記載の脱穀装置。
【請求項８】
前記扱室側に位置する分割横側壁部の壁厚を前記フィーダ側の分割横側壁部の壁厚より大に設定してある請求項７記載の脱穀装置。
【請求項９】
前記入口案内底壁体を、フィーダ側に位置する分割入口案内底壁体と扱室側に位置する分割入口案内底壁体とに分割自在に構成し、
前記入口案内底壁体における前記フィーダ側及び前記扱室側の分割入口案内底壁体が連結する部位と、前記フィーダ側及び前記扱室側の分割横側壁部が連結する部位とが同じ又はほぼ同じ脱穀機体前後方向箇所に位置するように、前記入口案内底壁体及び脱着自在に支持される前記横側壁部を構成してある請求項７又は８記載の脱穀装置。
【請求項１０】
前記入口案内底壁体の案内流路形成面におけるフィーダ側の案内流路形成面部と扱室側の案内流路形成面部との間に、流動物を受止める受止め面部を設けてある請求項１〜９のいずれか一項に記載の脱穀装置。
【発明の詳細な説明】
【技術分野】
【０００１】
本発明は、フィーダからの刈取り穀稈を、扱胴の前端側に一体回転自在に設けたスクリュー部によって扱室に掻き込むように構成した脱穀装置に関する。
【背景技術】
【０００２】
上記した脱穀装置では、脱穀機体内のスクリュー部下方箇所に入口案内経路を設け、フィーダから供給されてスクリュー部による掻き込みを受ける穀稈を扱室に案内するよう構成する。
この種のものとして、従来、例えば特許文献１に示されるように、フィーダハウスと扱室とを繋ぐ部分に入口供給板を設けたものがあった。
【先行技術文献】
【特許文献】
【０００３】
【特許文献１】特開平１１−２２５５５６号公報
【発明の概要】
【発明が解決しようとする課題】
【０００４】
上記した脱穀装置では、入口案内経路を形成する構造体にスクリュー部による掻き込みを受けた茎稈及び穀粒の当接による汚れや摩滅が発生し、入口案内経路を形成する構造体の清掃や交換が必要になる。入口案内経路を形成する構造体を交換するなど、入口案内経路に関する作業が必要になった際、脱穀装置の前部からフィーダを離間させることにより、脱穀装置の前部に設けてある穀稈投入口が開き、この穀稈投入口を作業開口にして作業を行なうことができる。この場合、大型かつ大重量のフィーダを取り外すことにより、大規模な取り外し装置を準備する必要があり、かつ大労力及び多大な手間が必要になる。
【０００５】
本発明の目的は、入口案内経路に関する作業を有利に行うことができる脱穀装置を提供することにある。
【課題を解決するための手段】
【０００６】
本第１発明は、フィーダからの刈取り穀稈を、扱胴の前端側に、前記扱胴と一体回転自在に設けたスクリュー部によって扱室に掻き込むように構成した脱穀装置において、
脱穀機体の内側における前記スクリュー部の下方に扱室側ほど配置高さが高い傾斜姿勢で設ける入口案内底壁体と、前記脱穀機体の左側の横側壁のうちの前記入口案内底壁体の横側方に位置する横側壁部と、前記脱穀機体の右側の横側壁のうちの前記入口案内底壁体の横側方に位置する横側壁部とにより、前記フィーダからの刈取り穀稈を前記扱室に流動案内する入口案内経路を構成し、
前記入口案内底壁体を脱着自在に支持されるよう構成し、
前記左側の横側壁部と前記右側の横側壁部の少なくとも一方を脱着自在に支持されるよう構成してある。
【０００７】
本第１発明の構成によると、脱着自在に支持される横側壁部を取り外すことにより、横側壁部に開口を設け、この開口を作業開口にして、入口案内底壁体及び横側壁部の清掃を行うとか、入口案内底壁体の脱穀機体内からの取り出しを行なうようにできるから、入口案内底壁体及び横側壁部の清掃や取り出しを行なうのに、フィーダを分離させずに、脱着自在な横側壁部を取り外すだけで行なえる。
【０００８】
従って、本第１発明によると、入口案内底壁体及び横側壁部を清掃や交換するなど、入口案内経路についての作業を行なうのに、フィーダを分離させて作業開口を設けるのに比して安価にかつ楽に行なえる。
【０００９】
本第２発明は、前記左側の横側壁部と前記右側の横側壁部とのうちの前記入口案内底壁体に対して扱胴下端部の回転方向下手側に位置する方の横側壁部を脱着自在に支持されるよう構成してある。
【００１０】
左側の横側壁部と右側の横側壁部とのうちの入口案内底壁体に対して扱胴下端部の回転方向下手側に位置する方の横側壁部は、他方の横側壁部に比べ、スクリュー部による掻き込みを受けた穀粒などの当接による摩滅が発生し易い。従って、本第２発明の構成によると、作業開口を設けるために脱着自在に構成する横側壁部と摩滅が発生し易い横側壁部とを同一のものにすることができる。
【００１１】
従って、本第２発明によると、脱着自在な横側壁部は、たとえば比較的大の壁厚を備えさせるだけで、優れた保形強度を具備するとともに摩滅発生にかかわらず変形し難いものとなり、脱着時において取り扱い易くて開閉し易いものになり、摩滅発生にかかわらず長期にわたって使用できるものになる有利な横側壁部を簡単かつ安価に得ることができる。
【００１２】
本第３発明は、前記左側の横側壁部及び前記右側の横側壁部を脱着自在に支持されるよう構成してある。
【００１３】
本第３発明の構成によると、左側及び右側の横側壁部を取り外して左右両側の横側壁に作業開口を設けたり、左側あるいは右側の横側壁部だけを取り外して左右側いずれか一方の横側壁だけに作業開口を設けたりできる。
【００１４】
従って、本第３発明によると、入口案内経路に対する作業の内容や規模により、左右両側の横側壁に作業開口を設けて容易に作業したり、左側と右側のいずれか一方だけの横側壁に作業開口を設けて、開閉手間を少なく済ませて迅速に作業したりできる。
【００１５】
本第４発明は、前記左側の横側壁部と前記右側の横側壁部とのうちの前記入口案内底壁体に対して扱胴下端部の回転方向下手側に位置する方の横側壁部の壁厚を、前記左側の横側壁部と前記右側の横側壁部とのうちの前記入口案内底壁体に対して扱胴下端部の回転方向上手側に位置する方の横側壁部の壁厚より大に設定してある。
【００１６】
左側及び右側の横側壁部のうちの入口案内底壁体に対して扱胴下端部の回転方向下手側に位置する方の横側壁部には、スクリュー部による掻き込みを受けた穀粒などの当接による摩滅が他方の横側壁部よりも発生し易い傾向にあることにより、本第４発明の構成によると、左側の横側壁部と右側の横側壁部との間に発生する摩滅差にかかわらず、左側及び右側の横側壁部の壁厚の差により、左側及び右側の横側壁部の使用寿命が同じ又はほぼ同じになるようにできる。
【００１７】
従って、本第４発明によると、左側の横側壁部と右側の横側壁部との摩滅差にかかわらず、左側及び右側の横側壁部を可能な限り使用した後に一挙に交換するという有利な交換方法を採用することができる。
【００１８】
本第５発明は、前記入口案内底壁体を、フィーダ側に位置する分割入口案内底壁体と扱室側に位置する分割入口案内底壁体とに分割自在に構成してある。
【００１９】
本第５発明の構成によると、脱穀機体の横側壁に横側壁部を取り外して設けた作業開口から入口案内底壁体を取り出すのに、入口案内底壁体をフィーダ側と扱室側との分割入口案内底壁体に分割し、入口案内底壁体よりも小型であって取り扱いや作業開口の通過が容易となるフィーダ側の分割入口案内底壁体と扱室側の分割入口案内底壁体とに分けて取り出すことができる。また、フィーダ側と扱室側との分割入口案内底壁体に摩滅差が発生した場合、摩滅が少ない方の分割案内底壁体を継続して使用し、摩滅が激しい方の分割案内底壁体だけを交換することができる。
【００２０】
従って、本第５発明によると、入口案内経路を構成する構造体の修理や交換作業を行なうのに、入口案内底壁体をフィーダ側と扱室側との分割案内底壁体に分割して容易に取り出したり、摩滅が激しい方の分割案内底壁体だけを交換したりして、清掃や交換などを能率面や費用面で有利にできる。
【００２１】
本第６発明は、前記扱室側に位置する分割入口案内底壁体の壁厚を前記フィーダ側に位置する分割入口案内底壁体の壁厚より大に設定してある。
【００２２】
入口案内底壁体における扱室側部位にはスクリュー部による掻き込みを受けた穀粒などの当接による摩滅がフィーダ側部位よりも発生し易い傾向にあることにより、本第６発明の構成によると、扱室側部位とフィーダ側部位との摩滅差にかかわらず、フィーダ側及び扱室側の分割入口案内底壁体の壁厚の差により、フィーダ側及び扱室側の分割入口案内底壁体の使用寿命が同じ又はほぼ同じになるようにできる。
【００２３】
従って、本第６発明によると、入口案内底壁体のフィーダ側部位と扱室側部位との摩滅差にかかわらず、フィーダ側及び扱室側の分割入口案内底壁体を可能な限り使用した後に一挙に交換するという有利な交換方法を採用することができる。
【００２４】
本第７発明は、脱着自在に支持される前記横側壁部を、フィーダ側に位置する分割横側壁部と扱室側に位置する分割横側壁部とに分割自在に構成してある。
【００２５】
本第７発明の構成によると、横側壁部に作業用開口を設けるよう横側壁部を取り外すのに、横側壁部の全体を一挙に取り外すのではなく、横側壁部の全体よりも小型であって取り扱いが容易となるフィーダ側及び扱室側の分割横側壁部に分けて取り出すことができる。
【００２６】
扱室側部位にはスクリュー部による掻き込みを受けた穀粒などの当接による摩滅がフィーダ側部位よりも発生し易い横側壁部である場合、扱室側部位とフィーダ側部位との摩滅差にかかわらず、フィーダ側及び扱室側の分割横側壁部の壁厚の差により、フィーダ側及び扱室側の分割横側壁部の使用寿命が同じ又はほぼ同じになるようにできる。
【００２７】
従って、本第７発明によると、入口案内経路を構成する構造体の修理や交換作業を行なうのに、横側壁部をフィーダ側及び扱室側の分割横側壁部に分けて取り出して作業部開口を楽に設けることができる。また、横側壁部のフィーダ側部位と扱室側部位との摩滅差にかかわらず、フィーダ側及び扱室側の分割横側壁部を可能な限り使用した後に一挙に交換するという有利な交換方法を採用することができる。
【００２８】
本第８発明は、前記扱室側に位置する分割横側壁部の壁厚を前記フィーダ側の分割横側壁部の壁厚より大に設定してある。
【００２９】
本第８発明の構成によると、横側壁部の扱室側部位にはスクリュー部による掻き込みを受けた穀粒などの当接による摩滅がフィーダ側部位よりも発生し易い横側壁部であっても、扱室側部位とフィーダ側部位との摩滅差にかかわらず、フィーダ側及び扱室側の分割横側壁部の壁厚の差により、フィーダ側及び扱室側の分割横側壁部の使用寿命が同じ又はほぼ同じになるようにできる。
【００３０】
従って、本第８発明によると、横側壁部のフィーダ側部位と扱室側部位との摩滅差にかかわらず、フィーダ側及び扱室側の分割横側壁部を可能な限り使用した後に一挙に交換することができ、横側壁部の交換を手間面や費用面で有利にできる。
【００３１】
本第９発明は、前記入口案内底壁体を、フィーダ側に位置する分割入口案内底壁体と扱室側に位置する分割入口案内底壁体とに分割自在に構成し、
前記入口案内底壁体における前記フィーダ側及び前記扱室側の分割入口案内底壁体が連結する部位と、前記フィーダ側及び前記扱室側の分割横側壁部が連結する部位とが同じ又はほぼ同じ脱穀機体前後方向箇所に位置するように、前記入口案内底壁体及び脱着自在に支持される前記横側壁部を構成してある。
【００３２】
本第９発明の構成によると、横側壁部を構成するフィーダ側及び扱室側の分割横側壁部のうちの扱室側の分割横側壁部を取り外すだけで横側壁部に作業開口を設けも、入口案内底壁体における分割入口案内底壁体が連結する部位と横側壁部における分割横側壁部が連結する部位とが同じ又はほぼ同じ脱穀機体前後方向箇所に位置していることにより、横側壁部に設けた作業開口は、脱穀機体前後方向での大きさが入口案内底壁体を構成する扱室側の分割入口案内底壁体の脱穀機体前後方向での大きさと同じ又はほぼ同じ作業開口になる。
【００３３】
従って、本第９発明によると、入口案内底壁体を構成する扱室側の分割入口案内底壁体に著しい摩滅が発生した場合など、横側壁部を構成する扱室側の分割横側壁部を取り外すだけで操作簡単に、横側壁部に必要な大きさの作業開口を設けて扱室側の分割入口案内底壁体を取り出すことができる。
【００３４】
本第１０発明は、前記入口案内底壁体の案内流路形成面におけるフィーダ側の案内流路形成面部と扱室側の案内流路形成面部との間に、流動物を受止める受止め面部を設けてある。
【００３５】
本第１０発明の構成によると、入口案内底壁体を扱室側からフィーダ側に逆流する穀粒などが発生しても、受止め面部による受止めを受けさせて入口案内底壁体の穀稈移送方法での途中で止めることができる。
【００３６】
従って、本第１０発明によると、入口案内底壁体における穀粒などの逆流が発生しても、扱室に向けての刈取り穀稈の掻き込み移送に対してはあまり大きな抵抗にならず、フィーダからの刈取り穀稈を扱室にスムーズに移送できる。
【図面の簡単な説明】
【００３７】
【図１】コンバインの全体を示す側面図である。
【図２】コンバインの全体を示す平面図である。
【図３】脱穀装置を示す側面図である。
【図４】脱穀装置を示す縦断側面図である。
【図５】扱胴を示す側面図である。
【図６】図５のＶＩ−ＶＩ断面矢視図である。
【図７】左側の横側壁の作業開口を閉じた状態の脱穀機体前部を示す左側面図である。
【図８】左側の横側壁の作業開口を開いた状態の脱穀機体前部を示す左側面図である。
【図９】右側の横側壁の作業開口を閉じた状態の脱穀機体前部を示す右側面図である。
【図１０】穀稈導入部を示す正面図である。
【図１１】入口案内底壁体を示す縦断側面図である。
【図１２】分割状態での入口案内底壁体、左側及び右側の横側壁部を示す斜視図である。
【図１３】穀粒回収部を示す後面図である。
【発明を実施するための形態】
【００３８】
以下、図面に基づいて、本発明に係る脱穀装置をコンバインに装備した場合について説明する。
図１は、コンバインの全体を示す側面図である。図２は、コンバインの全体を示す平面図である。図１，２に示すように、コンバインは、運転座席１ａが装備された搭乗型の運転部１、運転座席１ａの下方に位置する原動部に設けたエンジン３を有し、かつ左右一対のクローラ式の走行装置２，２をエンジン３からの駆動力によって駆動して自走するように構成した走行機体を備えている。走行機体の機体フレーム４の後部に、脱穀装置５及び脱穀装置５の横側方に配置した穀粒回収部６を設けてある。脱穀装置５の前部から機体前方向きに延出するフィーダ１１、フィーダ１１を構成するフィーダハウス１１ａの前端部に後端部が連結する前処理フレーム１２及び前処理フレーム１２に駆動自在に設けたバリカン型の刈取装置１３を備えて、刈取り部１０を構成してある。
【００３９】
刈取り部１０について説明する。
図１，２に示すように、刈取り部１０は、フィーダ１１が搬送終端部に位置するフィーダ駆動軸１１ｂの機体横向き軸芯まわりに昇降シリンダ１４によって揺動操作されることにより、前処理フレーム１２の前端部に設けた左右一対のデバイダ１５，１５が地面近くに下降した下降作業状態と左右一対のデバイダ１５，１５が地面から高く上昇した上昇非作業状態とに昇降する。
【００４０】
刈取り部１０は、下降作業状態にして走行機体を走行させることにより、稲、麦などの植立穀稈の穂先側を駆動回転自在な回転リール１６によって横送りオーガ１７に掻き寄せながらその植立穀稈の株元を刈取装置１３によって刈取り、刈取り穀稈を横送りオーガ１７の左右の螺旋板１７ａによってフィーダ１１の前付近に横送りし、横送りオーガ１７に回転操作自在に設けた掻き送りアーム１８によって横送りオーガ１７からフィーダハウス１１ａの前端部内に掻き込み供給された刈取り穀稈を、株元から穂先までの全体にわたり、フィーダ１１を構成するフィーダコンベヤ１１ｃによって搬送して、フィーダハウス１１ａの搬送終端部に後方向きに開口して位置するフィーダ送出口１１ｄ（図４参照）から脱穀装置５に投入する。
【００４１】
脱穀装置５について説明する。
図３は、脱穀装置５を示す側面図である。図４は、脱穀装置５を示す縦断側面図である。図３，４に示すように、フィーダ送出口１１ｄに連通する穀稈投入口２１ａを有した前壁２１、塵埃排出口２２ａを有した後壁２２、前壁２１から後壁２２に至る左右一対の横側壁２３，２４及び扱室天板２５を備えて、脱穀装置５の脱穀機体２０を構成してある。
【００４２】
脱穀装置５は、脱穀機体２０の上部内に設けた扱室２８、扱室２８に機体前後向きの扱胴軸芯Ｐまわりに駆動回転自在に設けた扱胴２９、扱胴２９の下方に配備した受網３０を備えて構成した脱穀部Ａ、扱室２８の下方に駆動揺動自在に設けた揺動選別装置３１及び揺動選別装置３１の前端部下方に設けた唐箕３２を備えて構成した選別部Ｂを備えている。脱穀機体２０の内側における揺動選別装置３１の前端側の下方に１番スクリューコンベヤ３３を設け、揺動選別装置３１の後端側の下方に２番スクリューコンベヤ３４を設けてある。
【００４３】
扱胴２９の前端側に一体回転自在に設けたスクリュー部３６を脱穀機体２０の内側における前壁２１と扱室２８との間に配置するとともに、スクリュー部３６の下方に設けた入口案内経路３７を備えて、穀稈導入部Ｃを構成してある。この穀稈導入部Ｃは、フィーダ１１からの刈取り穀稈を扱室２８に導入するものである。
【００４４】
すなわち、入口案内経路３７は、前壁２１の穀稈投入口２１ａと扱室２８の入口２８ａとわたって設けてあり、フィーダ１１によって穀稈投入口２１ａに投入された刈取り穀稈の株元から穂先までの全体を扱室２８の入口２８ａに流動するよう案内する。スクリュー部３６は、前端側ほど外径が小さくなる先細り形状に形成され、後端側が扱胴２９を構成する前支持プレート４０に連結された回転ドラム３６ａと、この回転ドラム３６ａの外周面に一体回転自在に設けた２枚の掻き送り螺旋板３６ｂとを備えて構成してあり、入口案内経路３７に投入された刈取り穀稈を後方側に移送して入口２８ａから扱室２８に送り込む。
【００４５】
従って、脱穀装置５は、扱胴２９の回転支軸４１における脱穀機体外への突出端部に一体回転自在に設けた扱胴駆動プーリ４２に伝動されて扱胴２９が回転方向Ｆ（図１０参照）に駆動されることにより、フィーダ１１によって穀稈投入口２１ａに投入された刈取り穀稈の株元から穂先までの全体を、穀稈導入部Ｃにおけるスクリュー部３６の掻き送り螺旋板３６ｂによる移送と入口案内経路３７による案内とによって扱室２８に導入し、扱室２８に導入した刈取り穀稈を回動する扱胴２９と受網３０とによって脱穀処理し、脱穀粒を受網３０から落下させ、ワラ屑などを扱室２８の後端部に位置する送塵口２８ｂから塵埃排出口２２ａに送り出して脱穀機体外に排出する。
【００４６】
脱穀装置５は、受網３０から落下した脱穀粒及び塵埃を選別部Ｂによって選別処理する。
すなわち、受網３０から落下した脱穀粒及び塵埃を揺動選別装置３１によって受け止め、揺動選別装置３１による揺動選別と、唐箕３２が揺動選別装置３１に向けて供給する機体後方向きの選別風による選別とによって脱穀粒と塵埃とに選別し、脱穀粒のうちの一番処理物を１番スクリューコンベヤ３３に落下させ、二番処理物を２番スクリューコンベヤ３４に落下させ、塵埃を選別風と共に塵埃排出口２２ａに移送して脱穀機体外に排出する。
【００４７】
１番スクリューコンベヤ３３は、供給された一番処理物を穀粒回収部６に搬送する。２番スクリューコンベヤ３４は、供給された二番処理物を右側の横側壁２４に設けてある還元口（図示せず）に向けて搬送する。
【００４８】
扱胴２９について説明する。
図５は、扱胴２９を示す側面図である。図６は、図５のＶＩ−ＶＩ断面矢視図である。図４，５，６に示すように、扱胴２９は、脱穀機体２０の前壁２１及び後壁２２に扱胴軸芯Ｐまわりに回転自在に支持される回転支軸４１、回転支軸４１に一体回転自在に設けた前支持プレート４０、中支持プレート４３及び後支持プレート４４、扱胴２９の周方向に等間隔で分散配置して前支持プレート４０、中支持プレート４３及び後支持プレート４４に連結した６本の扱歯支持杆４５，４６、各扱歯支持杆４５，４６の軸芯方向に並ぶ複数箇所から扱胴外周側に突出するバー形の扱歯４７，４８を備えて構成してある。つまり、扱胴２９は、株元から穂先までの全体にわたって扱室２８に導入される刈取り穀稈を脱穀対象とするものでありながら、茎稈などを扱歯支持杆４５，４６どうしの間から内部に入り込ませることにより、脱穀負荷の軽減を図りながら脱穀処理するようにバー型になっている。
【００４９】
６本の扱歯支持杆４５，４６のうちの３本の扱歯支持杆４６における扱歯配列ピッチ４６ａを、他の３本の扱歯支持杆４５における扱歯配列ピッチ４５ａより大に設定してある。大の扱歯配列ピッチ４６ａの大きさは、小の扱歯配列ピッチ４５ａの２倍又はほぼ２倍の大きさに設定してある。扱歯配列ピッチ４６ａが大である扱歯支持杆４６と扱歯配列ピッチ４５ａが小である扱歯支持杆４５とは、扱胴周方向に交互に並ぶ配置であって、隣り合う一対の扱歯支持杆４６，４６どうしの間に１本の扱歯支持杆４５が位置し、かつ隣り合う一対の扱歯支持杆４５，４５どうしの間に１本の扱歯支持杆４６が位置する配置で並んでいる。扱歯配列ピッチ４６ａが大の扱歯支持杆４６では、最も扱胴前端側に位置する扱歯４７ａとスクリュー部３６の回転ドラム３６ａの後端との間隔Ｄが扱歯配列ピッチ４６ａと同じ又はほぼ同じ間隔になる状態で扱歯４７ａを配備してある。扱歯配列ピッチ４５ａが小の扱歯支持杆４５では、最も扱胴前端側に位置する扱歯４７ａと回転ドラム３６ａの後端との間隔Ｄが扱歯配列ピッチ４５ａより広い間隔になる状態で扱歯４７を配備してある。図６に示すように、扱歯配列ピッチ４６ａが大である扱歯支持杆４６では、最も扱胴後端側に位置する扱歯４８だけに後退角Ｒを備えてある。
【００５０】
穀稈導入部Ｃについて説明する。
図７は、穀稈導入部Ｃを示す左側面図である。図１０は、穀稈導入部Ｃを示す正面図である。図４，７，１０に示すように、穀稈導入部Ｃを構成する入口案内経路３７は、脱穀機体２０の内側のスクリュー部３６の下方に設けた入口案内底壁体５０と、脱穀機体２０の左側の横側壁２３のうちの入口案内底壁体５０の横側方に位置する横側壁部６０と、脱穀機体２０の右側の横側壁２４のうちの入口案内底壁体５０の横側方に位置する横側壁部７０とによって構成してある。
【００５１】
図１１は、入口案内底壁体５０を示す縦断側面図である。図４，１０，１１に示すように、入口案内底壁体５０は、脱穀機体２０の穀稈投入口２１ａに望む前端縁５１の形状が脱穀機体横方向に沿う直線形状になり、扱室前壁２８Ｆが備える入口２８ａに望む後端縁５２の形状が扱胴２９の外周に沿う円弧形状になるよう形成した板状体によって構成してある。入口案内底壁体５０は、扱室側ほど配置高さが高い傾斜姿勢で配備してあり、入口案内底壁体５０の案内流路形成面５３は、扱室側ほど高い配置高さに位置する後上がり傾斜面になっている。案内流路形成面５３のうちのフィーダ側の案内流路形成面部５３ａは、扱室側ほど高い配置高さに位置する後上がり傾斜の平坦面に形成してある。案内流路形成面５３のうちの扱室側の案内流路形成面部５３ｂは、扱室側ほど高い配置高さに位置する後上がり傾斜となり、かつ脱穀機体横方向での両端側の部位５３ｃ（図１２参照）で下面側に突の湾曲状態となる非平坦面としての曲面に形成してある。
【００５２】
入口案内底壁体５０は、フィーダ側の案内流路形成面部５３ａと扱室側の案内流路形成面部５３ｂとの間に設けた受止め面部５４を備えている。受止め面部５４は、水平又はほぼ水平な平坦面に形成してあり、入口案内経路３７を扱室側からフィーダ側に逆流する穀粒やワラ屑をフィーダ側の案内流路形成面部５３ａに至らないように受け止めるよう構成してある。
【００５３】
図１２は、分割状態での入口案内底壁体５０、左側及び右側の横側壁部６０，７０を示す斜視図である。図１０，１１，１２に示すように、入口案内底壁体５０は、フィーダ側の案内流路形成面部５３ａ及び受止め面部５４を備えたフィーダ側の分割入口案内底壁体５０Ａと、扱き室側の案内流路形成面部５３ｂを備えた扱室側の分割入口案内底壁体５０Ｂとに分割自在に構成してある。扱室側の分割入口案内底壁体５０Ｂの後端部は、扱室前壁２８Ｆの前面側に突設してある前面視で湾曲形状の受止めフランジ２８ｅの上面側に重なって受け止めフランジ２８ｅによって受け止め支持されるように構成してある。フィーダ側の分割入口案内底壁体５０Ａの前端側に、入口案内底壁体５０を脱穀機体２０における前壁２１の内面側に脱着自在に支持させる連結部５５を設けてある。フィーダ側及び扱室側の分割入口案内底壁体５０Ａ，５０Ｂの左横端側に、入口案内底壁体５０を脱穀機体２０の左側の横側壁部６０の内面側に脱着自在に支持させる連結部５６，５７を設け、フィーダ側及び扱室側の分割入口案内底壁体５０Ａ，５０Ｂの右横端側に、入口案内底壁体５０を脱穀機体２０の右側の横側壁部７０の内面側に脱着自在に支持させる連結部５８，５９を設けてある。各連結部５５，５６，５７，５８，５９は、分割入口案内底壁体５０Ａ，５０Ｂを構成する板体の折り曲げ端部によって構成してある。
【００５４】
左側の横側壁部６０は、フィーダ側に位置するフィーダ側の分割横側壁部６０Ａと扱室側に位置する上下一対の分割横側壁部６０Ｂ，６０Ｃとに分割自在に構成してある。フィーダ側の分割横側壁部６０Ａの前端側及び上端側、扱室側における上側の分割横側壁部６０Ｂの上端側及び後端側、扱室側における下側の分割横側壁部６０Ｃの後端側に、横側壁部６０を左側の横側壁２３に脱着自在に支持させる連結部６１，６２，６３，６４，６５を設けてある。フィーダ側の分割横側壁部６０Ａの後端側、扱室側における上下一対の分割横側壁部６０Ｂ，６０Ｃの前端側に、分割横側壁部６０Ａ，６０Ｂ，６０Ｃどうしを連結する連結部６６，６７，６８を構成してある。各連結部６１〜６８は、分割横側壁部６０Ａ，６０Ｂ，６０Ｃを構成する板体の折り曲げ端部によって構成してある。
【００５５】
右側の横側壁部７０は、フィーダ側に位置するフィーダ側の分割横側壁部７０Ａと扱室側に位置する分割横側壁部７０Ｂとに分割自在に構成してある。フィーダ側の分割横側壁部７０Ａの前端側及び上端側、扱室側の分割横側壁部７０Ｂの上端側及び後端側に、横側壁部７０を右側の横側壁２４に脱着自在に支持させる連結部７１，７２，７３，７４を設けてある。フィーダ側の分割横側壁部７０Ａの後端側、扱室側の分割横側壁部７０Ｂの前端側に、分割横側壁部７０Ａ，７０Ｂどうしを連結する連結部７５，７６を設けてある。各連結部７１〜７６は、分割横側壁部７０Ａ，７０Ｂを構成する板体の折り曲げ端部によって構成してある。
【００５６】
つまり、脱穀機体２０の左側の横側壁２３における横側壁部６０を、左側の横側壁２３に入口案内底壁体５０の横側方に配置して設けた作業開口２３Ａを開閉するべく脱着自在に支持させるように構成してある。
【００５７】
具体的には、図７，１０に示すように、左側の横側壁部６０を構成するフィーダ側の分割横側壁部６０Ａ、扱室側の上下一対の分割横側壁部６０Ｂ，６０Ｃを作業開口２３Ａに嵌め込み、フィーダ側の分割横側壁部６０Ａにおける前端側の連結部６１を、これに設けたボルト孔６１ａに装着の連結ボルトによって脱穀機体２０の前壁２１に連結し、フィーダ側の分割横側壁部６０Ａ及び扱室側の上側の分割横側壁部６０Ｂにおける上端側の連結部６２，６３を、これに設けたボルト孔６２ａ，６３ａに装着した連結ボルトによって脱穀機体２０の左側の横側壁２３のうちの作業開口２３Ａの上側側に位置する上側部位２３Ｕに連結し、扱室側の上下一対の分割横側壁部６０Ｂ，６０Ｃにおける後端側の連結部６４，６５を、これに設けたボルト孔６４ａ，６５ａ及び扱室前壁２８Ｆに設けたボルト孔２８ｃに装着した連結ボルトによって扱室前壁２８Ｆに連結する。フィーダ側の分割横側壁部６０Ａにおける後端側の連結部６６と扱室側の上下一対の分割横側壁部６０Ｂ，６０Ｃにおける前端側の連結部６７，６８とを、これらのボルト孔６６ａ，６７ａ，６８ａに装着の連結ボルトによって連結することにより、左側の横側壁部６０を横側壁２３に支持させて、左側の横側壁２３の作業開口２３Ａを閉じることができる。
【００５８】
脱穀機体２０の右側の横側壁２４における横側壁部７０を、右側の横側壁２４に入口案内底壁体５０の横側方に配置して設けた作業開口２４Ａを開閉するべく脱着自在に支持させるように構成してある。
【００５９】
具体的には、図９，１０に示すように、右側の横側壁部７０を構成するフィーダ側の分割横側壁部７０Ａ及び扱室側の分割横側壁部７０Ｂを作業開口２４Ａに嵌め込み、フィーダ側の分割横側壁部７０Ａにおける前端側の連結部７１を、これに設けたボルト孔７１ａに装着の連結ボルトによって脱穀機体２０の前壁２１に連結し、フィーダ側及び扱室側の分割横側壁部７０Ａ，７０Ｂにおける上端側の連結部７２，７３を、これに設けたボルト孔７２ａ，７３ａに装着した連結ボルトによって脱穀機体２０の右側の横側壁２４のうちの作業開口２４Ａの上側に位置する上側部位２４Ｕに連結し、扱室側の分割横側壁部７０Ｂにおける後端側の連結部７４を、これに設けたボルト孔７４ａ及び扱室前壁２８Ｆに設けたボルト孔２８ｄに装着した連結ボルトによって扱室前壁２８Ｆに連結する。フィーダ側の分割横側壁部７０Ａにおける後端側の連結部７５と扱室側の分割横側壁部７０Ｂにおける前端側の連結部７６とを、これらのボルト孔７５ａ，７６ａに装着の連結ボルトによって連結することにより、右側の横側壁部７０を横側壁２４に支持させて、右側の横側壁２４の作業開口２４Ａを閉じることができる。
【００６０】
入口案内底壁体５０を、脱穀機体２０の内側に脱着自在に支持させるように構成してある。
具体的には、図８，１０に示すように、フィーダ側の分割入口案内底壁体５０Ａにおける前端側の連結部５５を、これに設けたボルト孔５５ａに装着した連結ボルトによって脱穀機体２０の前壁２１に連結し、フィーダ側の分割入口案内底壁体５０Ａの左端側の連結部５６を、これに設けたボルト孔５６ａ及び左側のフィーダ側の分割横側壁部６０Ａに設けてあるボルト孔２３ａに装着の連結ボルトによって左側のフィーダ側の分割横側壁部６０Ａに連結し、フィーダ側の分割入口案内底壁体５０Ａの右端側の連結部５８を、これに設けたボルト孔５８ａ及び右側のフィーダ側の分割横側壁部７０Ａに設けたボルト孔７０ａに装着する連結ボルトによってフィーダ側の分割横側壁部７０Ａに連結する。扱室側の分割入口案内底壁体５０Ｂの左端側の連結部５７を、これに設けたボルト孔５７ａ及び扱室側の下側の分割横側壁部６０Ｃに設けたボルト孔６０ａに装着の連結ボルトによって扱室側の下側の分割横側壁部６０Ｃに連結し、扱室側の分割入口案内底壁体５０Ｂの右端側の連結部５９を、これに設けたボルト孔５９ａ及び右側の扱室側の分割横側壁部７０Ｂに設けたボルト孔７０ｂに装着の連結ボルトによって右側の扱室側の分割横側壁部７０Ｂに連結することにより、入口案内底壁体５０を脱穀機体２０の内側におけるスクリュー部３６の下方箇所に装着できる。
【００６１】
図７，９に示すように、入口案内底壁体５０を装着し、左側及び右側の横側壁２３，２４の作業開口２３Ａ，２４Ａを閉じた状態において、入口案内底壁体５０におけるフィーダ側及び扱室側の分割入口案内底壁体５０Ａ，５０Ｂが連結する部位５０Ｒと、左側の横側壁部６０におけるフィーダ側及び扱室側の分割横側壁部６０Ａ，６０Ｂ，６０Ｃが連結する部位６０Ｒと、右側の横側壁部７０におけるフィーダ側及び扱室側の分割横側壁部７０Ａ，７０Ｂが連結する部位７０Ｒとが同じ又はほぼ同じ脱穀機体前後方向箇所に位置する。
【００６２】
図８は、左側の横側壁２３の作業開口２３Ａが開いた状態での側面図である。図８に示すように、左側の横側壁部６０におけるフィーダ側の分割横側壁部６０Ａ及び上下一対の扱室側の分割横側壁部６０Ｂ，６０Ｃを取り外すことにより、左側の横側壁２３の作業開口２３Ａが全体にわたって開き、この作業開口２３Ａから入口案内底壁体５０を取り出すことができる。
【００６３】
左側の横側壁２３の横外側を覆うサイドカバー８０（図１，２参照）が後端側に位置する機体上下向きの開閉軸芯Ｑまわりに揺動開閉自在に脱穀機体２０に支持されている。左側の横側壁２３のうちの左扱室壁２３Ｂに相当する部位が開閉軸芯Ｑまわりにサイドカバー８０と一体に揺動開閉するようにサイドカバー８０の内面側に連設されている。従って、左側の横側壁２３の作業開口２３Ａを開閉する際、サイドカバー８０を開いた状態にして左側の横側壁部６０を脱着する。このとき、左扱室壁２３Ｂがサイドカバー８０と共に開き、扱室２８が開口した状態になる。
【００６４】
図示しないが、右側の横側壁部７０におけるフィーダ側及び扱室側の分割横側壁部７０Ａ，７０Ｂを取り外すことにより、右側の横側壁２４の作業開口２４Ａが全体にわたって開く。
【００６５】
入口案内経路３７を構成する入口案内底壁体５０及び左右の横側壁部６０，７０にあっては、フィーダ側に位置する部位よりも扱室側に位置する部位の方に、スクリュー部３６による掻き送り作用を受けた穀粒などの当接に起因する摩滅が発生し易い。入口案内経路３７を構成する横側壁部６０，７０にあっては、入口案内底壁体５０に対して扱胴下端部の回転方向上手側に位置する横側壁部（左側の横側壁２３における横側壁部）６０よりも回転方向下手側に位置する横側壁部（右側の横側壁２４における横側壁部）７０に、スクリュー部３６による掻き送り作用を受けた穀粒などの当接に起因する摩滅が発生し易い。
【００６６】
従って、入口案内底壁体５０の扱室側部位を構成する扱室側の分割入口案内底壁体５０Ｂの壁厚５０Ｂｔを、フィーダ側部位を構成するフィーダ側の分割入口案内底壁体５０Ａの壁厚５０Ａｔより大に設定してある。右側の横側壁部７０の扱室側部位を構成する扱室側の分割横側壁部７０Ｂの壁厚７０Ｂｔを、フィーダ側部位を構成するフィーダ側の分割横側壁部７０Ａの壁厚７０Ａｔより大に設定してある。入口案内底壁体５０に対して扱胴下端部の回転方向下手側に位置する右側の横側壁部７０における扱室側の分割横側壁部７０Ｂの壁厚７０Ｂｔを、入口案内底壁体５０に対して扱胴下端部の回転方向上手側に位置する左側の横側壁部６０におけるフィーダ側及び扱室側の分割横側壁部６０Ａ，６０Ｂ，６０Ｃの壁厚６０Ａｔ，６０Ｂｔ，６０Ｃｔより大に設定してある。左側の横側壁部６０におけるフィーダ側及び扱室側の分割横側壁部６０Ａ，６０Ｂ，６０Ｃの壁厚６０Ａｔ，６０Ｂｔ，６０Ｃｔは、同じ又はほぼ同じに設定してある。
【００６７】
つまり、入口案内底壁体５０及び左右の横側壁部６０，７０のフィーダ側部位と扱室側部位との間に発生する摩滅差、入口案内底壁体５０に対して扱胴下端部回転方向上手側と下手側とに分かれて位置する横側壁２３，２４の間に発生する摩滅差にかかわらず、壁厚差の設定により、フィーダ側及び扱室側の分割入口案内底壁体５０Ａ，５０Ｂの摩滅による使用限界、フィーダ側及び扱室側の分割横側壁部６０Ａ，７０Ａ，６０Ｂ，７０Ｂの摩滅による使用限界、扱胴下端部回転方向上手側及び下手側の横側壁部６０，７０の摩滅による使用限界が同じまたはほぼ同じタイミングで発生するように構成してある。
【００６８】
入口案内底壁体５０及び左右の横側壁部６０，７０の扱室側部位にフィーダ側部位より早期に摩滅が発生した際、入口案内底壁体５０に対して扱胴下端部回転方向下手側に位置する横側壁部７０に上手側に位置する横側壁部６０より早期に摩滅が発生した際、入口案内底壁体５０のフィーダ側部位を構成するフィーダ側の分割入口案内底壁体５０Ａを取付けたままにしながら、扱室側部位を構成する扱室側の分割入口案内底壁体５０Ｂだけを取り外して交換できるように構成し、右の横側壁部７０のフィーダ側部位を構成するフィーダ側の分割横側壁部７０Ａを取付けたままにしながら、扱室側の分割横側壁部７０Ｂだけを取り外して交換できるように構成し、扱胴下端部回転方向上手側に位置する横側壁部６０を取付けたままにしながら、下手側に位置する横側壁部７０だけを取り外して交換できるように構成してある。
【００６９】
フィーダ１１の駆動構造について説明する。
図３及び図７に示すように、唐箕３２の回転自在な羽根支軸３２ａの駆動力を伝動ベルト８３によってフィーダ駆動軸１１ｂに伝達するように構成してある。
【００７０】
伝動ベルト８３に伝動用緊張力を付与するテンション輪体８４を、フィーダ駆動軸１１ｂに一体回転自在に設けた入力プーリ８５の外周箇所のうちの羽根支軸３２ａに最も近い箇所までの距離が、羽根支軸３２ａに一体回転自在に設けた出力プーリ８６の外周箇所のうちのフィーダ駆動軸１１ｂに最も近い外周箇所までの距離よりも大となる配置個所で伝動ベルト８３に対して押圧作用するように配備してある。つまり、伝動ベルト８３をテンション輪体８４によって押圧操作すれば、伝動ベルト８３に屈曲が発生するが、出力プーリ８６に巻回して接触する伝動ベルト８３の長さが必要以上に長くなることを回避しながら伝動ベルト８３に屈曲を発生させるように構成してある。
【００７１】
出力プーリ８６を囲うようコ字状に形成したベルト受け本体８７ａ及びベルト受け本体８７ａを支持する支持台部８７ｂを備えて成るベルト受け体８７の支持台部８７ｂを支持部材８８に連結してある。
【００７２】
支持部材８８は、唐箕３２の羽根支軸３２ａを回転自在に支持するよう構成した状態で脱穀機体２０の左側の横側壁２３に取り付けられており、羽根支軸３２ａを支持する機能に加え、ベルト受け体８７を支持する機能を備えている。ベルト受け体８７は、ベルトテンションクラッチを構成するテンション輪体８４の切り側への揺動操作によって伝動ベルト８３が弛緩状態に切換えられた際、ベルト受け本体８７ａによって伝動ベルト８３を出力プーリ８６の周りで受け止め支持し、伝動ベルト８３が出力プーリ８６に接触して連れ回りすることを防止するよう構成してある。
【００７３】
穀粒回収部６について説明する。
図１３は、穀粒回収部６を示す後面図である。図２及び図１３に示すように、穀粒回収部６は、脱穀装置５から１番スクリューコンベヤ３３によって搬出された脱穀粒を揚穀装置９０（図２参照）によって投入されるように構成したホッパー形の袋詰めタンク９１、袋詰めタンク９１が備える吐出筒９１ａの前後側に配備した袋受け杆９２、袋詰めタンク９１の下方に配置して機体フレーム４の上側に設けた袋受けデッキ９３、袋受けデッキ９３の機体横外側に位置するよう配備した作業者搭乗デッキ９４を備えて構成してある。
【００７４】
袋詰めタンク９１は、袋詰めタンク９１の前後側に設けた支持構造体９５に支持されている。前及び後側の支持構造体９５は、機体フレーム４に立設した左右一対の支柱部材９６，９６、左右一対の支柱部材９６，９６の上端部を連結する機体横向きの連結杆９７、及び連結杆９７から機体上方向きに突設されて上端側で袋詰めタンク９１を支持する縦板状の支持部材９８を備えて構成してある。連結杆９７の機体横内側端部は、脱穀機体２０に連結されている。連結杆９７と機体横外側の支柱部材９６とは、一端側が支柱部材９６となり、他端側が連結杆９７となるように長手方向での途中で曲げ成形された一本の鋼管によって構成してある。
【００７５】
〔別実施例〕
（１）上記した実施例では、左側及び右側の横側壁部６０，７０を脱着自在に支持されるよう構成した例を示したが、左側と右側のいずれか一方の横側壁部だけ、あるいは入口案内底壁体５０に対して扱胴下端部の回転方向下手側に位置する方の横側壁部だけを脱着自在に支持されるよう構成して実施してもよい。
【００７６】
（２）上記した実施例では、入口案内底壁体５０、左側及び右側の横側壁部６０，７０をフィーダ側の分割入口案内底壁体５０Ａ、分割横側壁部６０Ａ，７０Ａと扱室側の分割入口案内底壁体５０Ｂ、分割横側壁部６０Ｂ，６０Ｃ，７０Ｂとに分割自在に構成した例を示したが、非分割形に構成して実施してもよい。
【００７７】
（３）上記した実施例では、扱室側の分割入口案内底壁体５０Ｂの壁厚５０Ｂｔをフィーダ側の分割入口案内底壁体５０Ａの壁厚５０Ａｔより大に設定し、右側における扱室側の分割横側壁部７０Ｂの壁厚７０Ｂｔをフィーダ側の分割横側壁部７０Ａの壁厚７０Ａｔより大に設定し、右側の分割横側壁部７０Ｂの壁厚７０Ｂｔを左側の分割横側壁部６０Ｂの壁厚６０Ｂｔより大に設定した例を示したが、これらの壁厚差を備えないよう構成して実施してもよい。
【００７８】
（４）上記した実施例では、入口案内底壁体５０に対して扱胴下端部の回転方向下手側に位置する方の横側壁部としての右側の横側壁部７０におけるフィーダ側の分割横側壁部７０Ａと扱室側の分割横側壁部７０Ｂのうちの扱室側の分割横側壁部７０Ｂだけの壁厚７０Ｂｔを入口案内底壁体５０に対して扱胴下端部の回転方向上手側に位置する方の横側壁部としての左側の横側壁部６０の壁厚６０Ａｔ，６０Ｂｔ，６０Ｃｔより大に設定した例を示したが、右側におけるフィーダ側及び扱室側の分割横側壁部７０Ａ，７０Ｂの壁厚を左側における横側壁部６０の壁厚６０ｔより大に設定して実施してもよい。
【００７９】
（５）上記した実施例では、左側の横側壁部６０における扱室側の分割横側壁部を上下一対の分割横側壁部６０Ｂ，６０Ｃに分割自在に構成した例を示したが、扱室側の分割横側壁部を非分割型に構成して実施してもよい。
【産業上の利用可能性】
【００８０】
本発明は、バー型扱胴を備える脱穀装置の他、螺旋板状の扱歯を有したスクリュー型扱胴を備える脱穀装置にも利用可能である。
【符号の説明】
【００８１】
１１            フィーダ
２０            脱穀機体
２３            左側の横側壁
２４            右側の横側壁
２８            扱室
２９            扱胴
３６            スクリュー部
３７            入口案内経路
５０            入口案内底壁体
５０Ａ          フィーダ側の分割入口案内底壁体
５０Ａｔ        壁厚
５０Ｂ          扱室側の分割入口案内底壁体
５０Ｂｔ        壁厚
５０Ｒ          部位
５３            案内流路形成面
５３ａ          フィーダ側の案内流路形成面部
５３ｂ          扱室側の案内流路形成面部
５３ｃ          受止め面部
６０            左側の横側壁部
６０Ａ          フィーダ側の分割横側壁部
６０Ｂ，６０Ｃ  扱室側の分割横側壁部
６０Ｒ          部位
７０            右側の横側壁部
７０Ａ          フィーダ側の分割横側壁部
７０Ａｔ        壁厚
７０Ｂ          扱室側の分割横側壁部
７０Ｂｔ        壁厚
７０Ｒ          部位
【図１】
0005865181.tif 000002
【図２】
0005865181.tif 000003
【図３】
0005865181.tif 000004
【図４】
0005865181.tif 000005
【図５】
0005865181.tif 000006
【図６】
0005865181.tif 000007
【図７】
0005865181.tif 000008
【図８】
0005865181.tif 000009
【図９】
0005865181.tif 000010
【図１０】
0005865181.tif 000011
【図１１】
0005865181.tif 000012
【図１２】
0005865181.tif 000013
【図１３】
0005865181.tif 000014